(57)【要約】【課題】画面の切り替え時におけるカーソルの引き込みを制御可能で、操作性及び信頼性に優れた画像表示装置を提供する。【解決手段】画像表示装置を、カーソルＣ及びボタンＢ１〜Ｂｎを表示する表示部１と、カーソルＣの移動及びボタンＢ１〜Ｂｎの選択を行う入力部２と、表示部１及び入力部２を制御する制御部３とから構成する。入力部２には、操作者によって操作される操作部２２と、操作部２２の操作状態を検出する位置センサ２５，２６と、操作部２２に所要の外力を付与するアクチュエータ２３，２４を備える。制御部３は、表示部１の表示画面１ａが切り替えられたとき、アクチュエータ２３，２４を駆動して切替後の表示画面に設定されたデフォルト位置ＤにカーソルＣを移動する。そのときのカーソルＣの移動速度は、ボタンＢ１〜Ｂｎの中心位置にカーソルＣを引き込む際のカーソルＣの移動速度よりも遅くする。【選択図】        図１
2004287581.tif 000002
【特許請求の範囲】
【請求項１】
カーソル及び１乃至複数個のボタンを表示する表示部と、前記カーソルの移動及び前記ボタンの選択を行う入力部と、前記表示部及び入力部の制御を行う制御部とを備え、前記入力部は、操作者によって操作される操作部及び当該操作部の操作状態を検出する位置センサ並びに前記操作部に所要の外力を付与するアクチュエータを有し、前記制御部は、前記位置センサから出力される位置信号に基づいて前記操作部の操作量と操作方向とを演算し、求められた前記操作部の操作量及び操作方向に基づいて前記カーソルの移動を行うと共に、前記表示部の表示画面が切り替えられたときには、前記アクチュエータを駆動して切替後の表示画面に設定されたデフォルト位置に前記カーソルを所定の移動速度で移動することを特徴とする画像表示装置。
【請求項２】
前記操作部の操作中に前記カーソルが前記ボタンの中心位置より所定の半径内に移動されたときには、前記アクチュエータを駆動して前記カーソルを当該ボタンの中心位置に引き込むことを特徴とする請求項１に記載の画像表示装置。
【請求項３】
前記所定の移動速度は、前記ボタンの中心位置に前記カーソルを引き込む際の前記カーソルの移動速度よりも遅い移動速度であることを特徴とする請求項２に記載の画像表示装置。
【請求項４】
前記切替後の表示画面に複数個の前記デフォルト位置を設定し、前記表示部の表示画面が切り替えられたとき、最も近いデフォルト位置に前記カーソルを移動することを特徴とする請求項１乃至請求項３のいずれか１項に記載の画像表示装置。
【請求項５】
前記制御部は、前記カーソルを前記ボタンの中心位置に引き込むとき、前記アクチュエータを駆動して前記ボタンに固有の力覚を前記操作部に付与することを特徴とする請求項２乃至請求項４のいずれか１項に記載の画像表示装置。
【発明の詳細な説明】
【０００１】
【発明の属する技術分野】
本発明は、カーソルにより表示画面上に表示されたボタンを選択して表示部の表示画面を切り換える画像表示装置に係り、特に、カーソルがボタンの表示位置より所定の半径内に接近されたときに自動的に当該ボタンの中心部にカーソルを引き込む機能を有する画像表示装置に関する。
【０００２】
【従来の技術】
従来より、バイワイヤ方式の車載電気機器集中制御装置などとして、カーソル及び１乃至複数個のボタンを表示する表示部と、カーソルの移動及びボタンの選択を行う入力部と、これら表示部及び入力部の制御を行う制御部とを備え、カーソルを所要のボタンの表示位置まで移動した後に当該ボタンの選択操作を行うことによって、表示部の表示画面を当該選択されたボタンに対応する画面に切り替える画像表示装置が提案されている（例えば、特許文献１参照。）。
【０００３】
例えばバイワイヤ方式の車載電気機器集中制御装置においては、初期画面に当該集中制御装置によって制御可能な車載電気機器の種別、例えばエアコン、ＣＤプレーヤ、ラジオ、カーナビゲーションシステム等を示すボタンとカーソルとが表示され、当該ボタンを選択することによって例えばエアコンが選択された場合には、次画面にエアコンの調整項目である温度、風量、吹き出し口等を示すボタンとカーソルとが表示され、当該ボタンを選択することによって例えば温度が選択された場合には、次画面に昇温ボタン及び降温ボタンとカーソルとが表示され、昇温ボタン又は降温ボタンを操作することによって、エアコンの設定温度を変更することができる。
【０００４】
【特許文献１】
特開２００１−８４８７５（図３）
【０００５】
【発明が解決しようとする課題】
ところで、表示画面上のカーソルは、入力部に備えられたジョイスティックなどの操作部を操作することによって手動で行われるので、バイワイヤ方式の車載電気機器集中制御装置などのように外部からの振動を受ける環境で使用される画像表示装置においては、必ずしも所要のボタン上にカーソルを正確かつ迅速に移動することが容易ではなく、所要のボタンの選択を容易に行えるようにするため、入力部の操作によりカーソルがボタンの中心位置より所定の範囲内に接近されたとき、カーソルを当該ボタンの中心位置に自動的に引き込むようにすることが望まれている。
【０００６】
カーソルの引き込み技術は、情報処理装置の技術分野における慣用的な技術であるが、この技術を単に画像表示装置に適用すると、以下の不都合が発生することが判明した。
【０００７】
即ち、表示部の表示画面が前画面から次画面に切り替えられた場合において、前画面におけるカーソルの位置と次画面におけるボタンの設定位置とが接近している場合、カーソルの引き込みに伴って入力部に備えられた操作部が急激に駆動されるため、操作者に違和感や不安感を与えやすく、また、不要なボタンの選択操作が行われやすい。
【０００８】
本発明は、かかる従来技術の不備を解消するためになされたものであって、その課題とするところは、画面の切り替え時におけるカーソルの引き込みを制御可能で、操作性及び信頼性に優れた画像表示装置を提供することにある。
【０００９】
【課題を解決するための手段】
本発明は、前記の課題を解決するため、画像表示装置を、カーソル及び１乃至複数個のボタンを表示する表示部と、前記カーソルの移動及び前記ボタンの選択を行う入力部と、前記表示部及び入力部の制御を行う制御部とを備え、前記入力部は、操作者によって操作される操作部及び当該操作部の操作状態を検出する位置センサ並びに前記操作部に所要の外力を付与するアクチュエータを有し、前記制御部は、前記位置センサから出力される位置信号に基づいて前記操作部の操作量と操作方向とを演算し、求められた前記操作部の操作量及び操作方向に基づいて前記カーソルの移動を行うと共に、前記表示部の表示画面が切り替えられたときには、前記アクチュエータを駆動して切替後の表示画面に設定されたデフォルト位置に前記カーソルを所定の移動速度で移動するという構成にした。
【００１０】
このように、表示部の表示画面が切り替えられたときにアクチュエータを駆動して切替後の表示画面に設定されたデフォルト位置にカーソルを所定の移動速度で移動すると、前画面におけるカーソルの位置と次画面におけるボタンの設定位置とが接近している場合においてもボタンへのカーソルの引き込みを防止することができ、操作部の動作を緩やかなものにすることができるので、操作者に違和感や不安感を与えにくく、不要なボタンの選択操作を確実に防止することができて、画像表示装置の操作性及び信頼性を高めることができる。
【００１１】
また、本発明は、前記の課題を解決するため、前記構成の画像表示装置において、前記操作部の操作中に前記カーソルが前記ボタンの中心位置より所定の半径内に移動されたときには、前記アクチュエータを駆動して前記カーソルを当該ボタンの中心位置に引き込むという構成にした。
【００１２】
このように、操作部の操作中にカーソルがボタンの中心位置より所定の半径内に移動されたときにアクチュエータを駆動してカーソルを当該ボタンの中心位置に引き込むようにすると、外部からの振動を受ける環境で使用される場合においても、所要のボタン上にカーソルを正確かつ迅速に移動することが可能になるので、画像表示装置の操作性を高めることができる。
【００１３】
また、本発明は、前記の課題を解決するため、前記構成の画像表示装置において、前記所定の移動速度は、前記ボタンの中心位置に前記カーソルを引き込む際の前記カーソルの移動速度よりも遅い移動速度であるという構成にした。
【００１４】
このように、デフォルト位置に移動する際のカーソルの移動速度をボタンの中心位置に引き込む際のカーソルの移動速度よりも遅くすると、画面切替時におけるカーソルひいては操作部の動作を緩やかなものにすることができるので、操作者に違和感や不安感を与えにくく、画像表示装置の操作性及び信頼性を高めることができる。
【００１５】
また、本発明は、前記の課題を解決するため、前記各構成の画像表示装置において、前記切替後の表示画面に複数個の前記デフォルト位置を設定し、前記表示部の表示画面が切り替えられたとき、最も近いデフォルト位置に前記カーソルを移動するという構成にした。
【００１６】
このように、切替後の表示画面に複数個のデフォルト位置を設定し、表示部の表示画面が切り替えられたときに最も近いデフォルト位置にカーソルを移動すると、カーソルの移動に伴う操作部の移動量を少なくすることができるので、操作者に与える違和感や不安感をより一層緩和することができると共に、デフォルト位置までのカーソルの移動時間を短縮することができ、画像表示装置の操作性及び信頼性を高めることができる。
【００１７】
また、本発明は、前記の課題を解決するため、前記各構成の画像表示装置において、前記制御部は、前記カーソルを前記ボタンの中心位置に引き込むとき、前記アクチュエータを駆動して前記ボタンに固有の力覚を前記操作部に付与するという構成にした。
【００１８】
このように、カーソルをボタンの中心位置に引き込む際にアクチュエータを駆動して各ボタンに固有の力覚を操作部に付与すると、操作者はいずれのボタンにカーソルが位置付けられたのかをブラインドタッチで知ることができるので、画像表示装置の操作性を高めることができる。
【００１９】
【発明の実施の形態】
以下、本発明に係る画像表示装置の一実施形態例を図１乃至図５に基づいて説明する。図１は実施形態例に係る画像表示装置の構成図、図２は実施形態例に係る入力部の側面方向より見た断面図、図３は実施形態例に係る入力部の平面方向より見た断面図、図４は実施形態例に係る画像表示装置の動作説明図、図５はカーソルの移動速度を示すグラフ図である。
【００２０】
図１に示すように、本実施形態例に係る画像表示装置は、カーソルＣ（図４参照）及び少なくとも１乃至複数個のボタンＢ１〜Ｂｎ（図４参照）を含む所要の画像を表示する表示部１と、表示部１に表示されたカーソルＣの移動及び表示部１に表示されたボタンＢ１〜Ｂｎの選択を行う入力部２と、前記表示部１及び入力部３の制御を行う制御部３とから主に構成されている。
【００２１】
表示部１としては、公知に属する任意の表示装置を用いることができるが、比較的安価にして小型に製造できることから、液晶表示装置を用いることが特に好ましい。
【００２２】
入力部２は、図１に示すように、揺動レバー２１ａを有する機構部２１と、揺動レバー２１ａの先端部に取り付けられた操作部２２と、揺動レバー２１ａを介して操作部２２に力覚を付与する第１及び第２のアクチュエータ２３，２４と、揺動レバー２１ａの操作方向及び操作量を検出する第１及び第２の位置センサ２５，２６とからなる。
【００２３】
機構部２１は、図２及び図３に示すように、揺動レバー２１ａと、ケース３１と、ケース３１に回転可能に保持されたレバー保持軸３２及びスイングアーム３３とからなる。レバー保持軸３２とスイングアーム３３とは、互いに直交する方向に配置され、レバー保持軸３２には、揺動レバー２１ａがスイングアーム３３の回転方向にのみ回転できるように取り付けられる。なお、図中の符号２１ｂは、揺動レバー２１ａの揺動中心軸を示している。一方、スイングアーム３３には長溝３３ａが開設されており、揺動レバー２１ａの下端部が貫通される。前記長溝３３ａの溝幅は、揺動レバー２１ａの下端部の直径よりも若干大きい程度に形成され、揺動レバー２１ａをレバー保持軸３２の回転に伴って揺動する方向（Ｘ−Ｘ方向）に揺動した場合には、長溝３３ａ内を揺動レバー２１ａの下端部が自由に摺動でき、揺動レバー２１ａを揺動中心軸２１ｂの回転に伴って揺動する方向（Ｙ−Ｙ方向）に揺動した場合には、スイングアーム３３が揺動レバー２１ａと一体となって揺動するようになっている。
【００２４】
このように構成されていることから、揺動レバー２１ａはレバー保持軸３２及び揺動中心軸２１ｂを中心として任意の方向に揺動することができる。そして、レバー保持軸３２は、揺動レバー２１ａのＸ−Ｘ方向への揺動量に比例する回転量だけ揺動レバー２１ａの揺動方向に回転され、スイングアーム３３は、揺動レバー２１ａのＹ−Ｙ方向への揺動量に比例する回転量だけ揺動レバー２１ａの揺動方向に回転される。
【００２５】
操作部２２は、操作者によって操作可能な形状及びサイズに形成されており、その一部には、表示部１に表示されたボタンＢ１〜Ｂｎの選択スイッチ２２ａが設定されている。
【００２６】
第１のアクチュエータ２３は、前記レバー保持軸３２に連結され、第２のアクチュエータ２４は、前記スイングアーム３３に連結される。これら第１及び第２のアクチュエータ２３，２４としては、モータやソレノイドなどの電動装置を用いることができる。アクチュエータ２３，２４としてリニアモータやソレノイドなどの直動装置を用いた場合には、アクチュエータ２３とレバー保持軸３２との間、又はアクチュエータ２４とスイングアーム３３との間に、レバー保持軸３２又はスイングアーム３３の回転運動を直線運動に変換して伝達するための所要の動力伝達機構が備えられる。
【００２７】
第１及び第２の位置センサ２５，２６は、回転軸の回転方向と回転量とを検出し、それに応じた電気信号に変換して出力するものであって、例えばロータリエンコーダや回転型可変抵抗器などが用いられる。第１の位置センサ２５は、その回転軸が前記レバー保持軸３２に連結され、第２の位置センサ２６は、その回転軸が前記スイングアーム３３に連結される。
【００２８】
制御部３は、図１に示すように、第１の位置センサ２５から出力される第１の位置信号ａ及び第２の位置センサ２６から出力される第２の位置信号ｂ並びに選択スイッチ２２ａから出力されるスイッチ信号ｃを取り込む入力部４１と、第１及び第２の位置信号ａ，ｂに基づくカーソルＣの移動方向及び移動量の算出、第１及び第２の位置信号ａ，ｂに基づく第１及び第２のアクチュエータ２３，２４の駆動信号ｄ，ｅの算出、それにスイッチ信号ｃに基づく表示画面の切替を行う演算部４２と、演算の基礎となる数式や係数それにカーソルＣの引き込み開始位置及び停止位置などが記憶された記憶部４３と、演算部４２から出力されるアクチュエータ駆動信号ｄ，ｅに応じたアクチュエータ駆動電力ｇ，ｈを出力して第１及び第２のアクチュエータ２３，２４を駆動する第１及び第２のドライバ回路４４，４５と、演算部４２から出力される表示部駆動信号ｆに応じた表示部駆動電力ｉを出力して表示部１を駆動する第３のドライバ回路４６と、これらの各部４１〜４６を制御するＣＰＵ４７とから構成されている。
【００２９】
演算部４２は、図４（ａ）に示すように、操作部２２が操作されたとき、第１の位置信号ａ及び第２の位置信号ｂ並びに記憶部４３に記憶された数式及び係数などに基づいて表示部２に表示されているカーソルＣの移動方向及び移動量を算出し、その演算結果に基づいて表示部２に表示されたカーソルＣを操作部２２の操作方向に応じた方向に操作部２２の操作量に応じた量だけ移動する。
【００３０】
また、演算部４２は、図４（ｂ）に示すように、カーソルＣがボタンＢ１〜Ｂｎのいずれかの中心位置より予め定められた所定の範囲である半径ｒ内に移動されたとき、アクチュエータ２３，２４を駆動し、カーソルＣを当該１のボタンの中心位置に引き込む。この場合、演算部４２は、アクチュエータ２３，２４を駆動してカーソルＣが引き込まれるボタンＢ１〜Ｂｎに固有の力覚を操作部２２に付与し、所望のボタンにカーソルＣが引き込まれたか否かの判断を操作者がブラインドタッチで行えるようにすることもできる。なお、操作部２２に所要の力覚を付与する技術については、本願出願人が先に提案した特開２００２−１４９３２４に記載の技術を利用することができる。前記公知文献に記載のアクチュエータの制御システム、手動操作部３、アクチュエータ１４、エンコーダ２５は、それぞれ本願の制御部３、操作部２２、第１及び第２のアクチュエータ２３，２４、第１及び第２の位置センサ２５，２６に相当する。
【００３１】
また、演算部４２は、選択スイッチ２２ａを操作することによって１のボタンが選択されたとき、図４（ｃ）に示すように、表示部１の表示画面１ａを当該１のボタンに対応する次画面に切り替えると共に、アクチュエータ２３，２４を駆動して切替後の表示画面１ａに設定されたデフォルト位置ＤにカーソルＣを引き込む。この場合のカーソルＣの引き込み速度は、図５に示すように，カーソルＣをボタンＢ１〜Ｂｎのいずれかの中心位置に引き込む際の引き込み速度よりも遅く設定されている。
【００３２】
前記実施形態例に係る画像表示装置は、表示部１の表示画面１ａが切り替えられたときにアクチュエータ２３，２４を駆動して切替後の表示画面に設定されたデフォルト位置ＤにカーソルＣを移動し、その際のカーソルＣの移動速度をボタンＢ１〜Ｂｎの中心位置にカーソルＣを引き込む際のカーソルＣの移動速度よりも遅くしたので、前画面におけるカーソルＣの位置と次画面におけるボタンＢ１〜Ｂｎの設定位置とが接近している場合においてもボタンＢ１〜ＢｎへのカーソルＣの引き込みを防止することができ、操作部２２の動作を緩やかなものにすることができるので、操作者に違和感や不安感を与えにくく、不要なボタンＢ１〜Ｂｎの選択操作を確実に防止することができて、画像表示装置の操作性及び信頼性を高めることができる。
【００３３】
また、前記実施形態例に係る画像表示装置は、カーソルＣをボタンＢ１〜Ｂｎの中心位置に引き込む際にアクチュエータ２３，２４を駆動して各ボタンＢ１〜Ｂｎに固有の力覚を操作部２２に付与するので、操作者はいずれのボタンにカーソルＣが位置付けられたのかをブラインドタッチで知ることができ、画像表示装置の操作性を高めることができる。
【００３４】
なお、前記実施形態例においては、次画面にデフォルト位置Ｄを１つのみ設定したが、かかる構成に代えて、図６に示すように、次画面に複数個のデフォルト位置Ｄ１〜Ｄ４を設定し、表示部１の表示画面１ａが切り替えられたときに最も近いデフォルト位置Ｄ１〜Ｄ４にカーソルＣを移動することもできる。
【００３５】
このようにすると、カーソルＣの移動に伴う操作部２２の移動量を少なくすることができるので、操作者に与える違和感や不安感をより一層緩和することができると共に、デフォルト位置Ｄ１〜Ｄ４までのカーソルＣの移動時間を短縮することができ、画像表示装置の操作性及び信頼性をより一層高めることができる。
【００３６】
【発明の効果】
以上説明したように、本発明の画像表示装置は、表示部の表示画面が切り替えられたときにアクチュエータを駆動して切替後の表示画面に設定されたデフォルト位置にカーソルを移動し、その際のカーソルの移動速度をボタンの中心位置にカーソルを引き込む際のカーソルの移動速度よりも遅くしたので、前画面におけるカーソルの位置と次画面におけるボタンの設定位置とが接近している場合においてもボタンへのカーソルの引き込みを防止することができ、操作部の動作を緩やかなものにすることができるので、操作者に違和感や不安感を与えにくく、不要なボタンの選択操作を確実に防止することができて、画像表示装置の操作性及び信頼性を高めることができる。
【図面の簡単な説明】
【図１】実施形態例に係る画像表示装置の構成図である。
【図２】実施形態例に係る入力部の側面方向より見た断面図である。
【図３】実施形態例に係る入力部の平面方向より見た断面図である。
【図４】実施形態例に係る画像表示装置の動作説明図である。
【図５】実施形態例に係る画像表示装置におけるカーソルの移動速度を示すグラフ図である。
【図６】他の実施形態例に係る画像表示装置の画面構成を示す説明図である。
【符号の説明】
１  表示部
２  入力部
３  制御部
２２  操作部
２３，２４  アクチュエータ
２５，２６  位置センサ
Ｂ１〜Ｂｎ  ボタン
Ｃ  カーソル
Ｄ  デフォルト位置
【図１】
2004287581.tif 000003
【図２】
2004287581.tif 000004
【図３】
2004287581.tif 000005
【図４】
2004287581.tif 000006
【図５】
2004287581.tif 000007
【図６】
2004287581.tif 000008